(57)【要約】【課題】  外筒に膨出部を形成しなくて済み、かつ、鍵違い変換作業が容易な可変レバータンブラー錠を提供する。【解決手段】  レバータンブラー錠の各レバータンブラーを、略Ｃ字形で相互に重合するタンブラーＡ１ＡとタンブラーＢ１Ｂとを組合わせたものとする一方、支軸２をその両端に突設した偏芯軸の軸線回りを回動できるように支承し、タンブラーＡ１Ａの自由端部内側縁部のタンブラーＢ１Ｂと対向する側に係合突起９を、また、タンブラーＢ１Ｂの内側縁部にはタンブラーＡ１Ａの係合突起９と係合可能な係合凹部１１の複数を夫々形成し、一方、鍵違い変換時支軸２を押し下げ、係合突起９と係合凹部１１との係合を解くようにしたものにおいて、外筒に装着されたアダプター２４内にスイッチ部材２６とこれを押動する変換部材２７を設け、スペーサリング１５を介して支軸２を押し下げる。【選択図】  図７
2005256351.tif 000002
【特許請求の範囲】
【請求項１】
レバータンブラー錠の各レバータンブラーを、略Ｃ字形で相互に重合するタンブラーＡとタンブラーＢとを組合わせたものとする一方、中心軸線が外方に向かうように付勢された支軸を、その両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に第１係合突起を、また、タンブラーＢの内側縁部には支軸を中心とする円弧上にタンブラーＡの第１係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その第１係合突起と整合するように設定したものにおいて、支軸の内端部に大径鍔部を形成し、軸線方向においてこの大径鍔部と整合する外筒外周面に、これを外筒半径方向に貫通する作業孔を形成すると共に、この作業孔の近傍における外筒両外側面に夫々凹陥部を形成し、一方、外筒に跨がってこれに接合できるように一部を断面半円形に成形したアダプターを設け、このアダプターの両側に、外筒に跨がったとき外筒の中心軸線と平行になる回動軸に中心部を回動可能に支承され、先端が上記凹陥部に係合する方向に付勢されたラッチレバーを対称的に装着し、他方、上記アダプターに、外筒半径方向に移動可能に案内され、内端が作業孔を挿通して支軸の大径鍔部に当接可能に臨むスイッチ部材を設け、このスイッチ部材の外側に、外筒軸線方向に延在し、長さ方向に移動可能に案内されると共に、基端に短円柱状の操作端を形成し、中央部にスイッチ部材と係合して楔作用によりこれを内側に押動する傾斜面を形成した変換部材を設け、鍵違い変換時、ラッチレバーを介してアダプターを外筒に取り外し可能に装着し、変換部材の操作端を押動してスイッチ部材を内方に移動させ、その内端により支軸の大径鍔部を内方に押動して、タンブラーＡの第１係合突起とタンブラーＢの係合凹部とを切り離すようにしたことを特徴とする可変レバータンブラー錠。
【請求項２】
レバータンブラー錠の各レバータンブラーを、略Ｃ字形で相互に重合するタンブラーＡとタンブラーＢとを組合わせたものとする一方、中心軸線が外方に向かうように付勢された支軸を、その両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に第１係合突起を、また、タンブラーＢの内側縁部には支軸を中心とする円弧上にタンブラーＡの第１係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その第１係合突起と整合するように設定したものにおいて、支軸の内端部に大径鍔部を形成し、軸線方向においてこの大径鍔部と整合する外筒外周面に、これを外筒半径方向に貫通する作業孔を形成すると共に、この作業孔の近傍における外筒両外側面に夫々凹陥部を形成し、一方、外筒に跨がってこれに接合できるように一部を断面半円形に成形したアダプターを設け、このアダプターの両側に、外筒に跨がったとき外筒の中心軸線と平行になる回動軸に中心部を回動可能に支承され、先端が上記凹陥部に係合する方向に付勢されたラッチレバーを対称的に装着し、他方、上記アダプターに、外筒半径方向に移動可能に案内され、内端が作業孔を挿通して支軸の大径鍔部に当接可能に臨むスイッチ部材を設け、このスイッチ部材の外側に、外筒軸線方向に延在し、長さ方向に移動可能に案内されると共に、基端に短円柱状の操作端を形成し、中央部にスイッチ部材と係合して楔作用によりこれを内側に押動する傾斜面を形成した変換部材を設け、鍵違い変換時、ラッチレバーを介してアダプターを外筒に取り外し可能に装着し、変換部材の操作端を押動してスイッチ部材を内方に移動させ、その内端により支軸の大径鍔部を内方に押動して、タンブラーＡの第１係合突起とタンブラーＢの係合凹部とを切り離すようにし、また、内筒内における上記支軸の大径鍔部の近傍に、支軸と遊嵌する挿通孔を開口させ、下端縁に第２係合突起を突設して、合鍵の鍵孔への挿入時、合鍵先端の傾斜端縁と第２係合突起との係合によって生じる楔作用により外方に押動される制御板をスイッチ部材の移動方向に移動可能に設けると共に、上記アダプター内におけるスイッチ部材の近傍に、外端部に変換部材の先端部と遊嵌する係止孔を開口させ、このた抜け止め板を、内端縁を制御板の外端縁に接合させた状態で外筒半径方向に移動可能に設け、鍵違い変換時、それまでの合鍵を及び新しい合鍵を鍵孔に挿入していない作業中は抜け止め板の係止孔を変換部材の係止溝に係合させ、変換部材から手を離してもスイッチ部材を作動位置に係止できるようにしたことを特徴とする可変レバータンブラー錠。
【請求項３】
レバータンブラー錠の各レバータンブラーを、略Ｃ字形で相互に重合するタンブラーＡとタンブラーＢとを組合わせたものとする一方、中心軸線が外方に向かうように付勢された支軸を、その両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に第１係合突起を、また、タンブラーＢの内側縁部には支軸を中心とする円弧上にタンブラーＡの第１係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その第１係合突起と整合するように設定したものにおいて、支軸の内端部に大径鍔部を形成し、軸線方向においてこの大径鍔部と整合する外筒外周面に、これを外筒半径方向に貫通する作業孔を形成すると共に、この作業孔の近傍における外筒両外側面に夫々凹陥部を形成し、一方、外筒に跨がってこれに接合できるように一部を断面半円形に成形したアダプターを設け、このアダプターの両側に、外筒に跨がったとき外筒の中心軸線と平行になる回動軸に中心部を回動可能に支承され、先端が上記凹陥部に係合する方向に付勢されたラッチレバーを対称的に装着し、他方、上記アダプターに、外筒半径方向に移動可能に案内され、内端が作業孔を挿通して支軸の大径鍔部に当接可能に臨むスイッチ部材を設け、このスイッチ部材の外側に、外筒軸線方向に延在し、長さ方向に移動可能に案内されると共に、基端に短円柱状の操作端を形成し、中央部にスイッチ部材と係合して楔作用によりこれを内側に押動する傾斜面を形成した変換部材を設け、鍵違い変換時、ラッチレバーを介してアダプターを外筒に取り外し可能に装着し、変換部材の操作端を押動してスイッチ部材を内方に移動させ、その内端により支軸の大径鍔部を内方に押動して、タンブラーＡの第１係合突起とタンブラーＢの係合凹部とを切り離すようにし、また、上記変換部材の円柱状の操作端の内側に、幅寸法が操作端の外径より小さいフランジ部を連設し、常態における上記ラッチレバーの操作端の、外筒軸線方向における位置をフランジ部と同じ位置に設定すると共に、操作端がフランジ部の側端縁に近接するように設定し、鍵違い変換時、アダプターをシリンダ外筒に装着して変換部材を移動させた後は、ラッチレバーの操作端の変換部材に対する相対関係位置を操作端の大径部に移動させ、ラッチレバーの操作端を内側に押動してラッチレバーの先端と外筒の凹陥部との係合を解くことができないようにしたことを特徴とする可変レバータンブラー錠。
【請求項４】
上記支軸の大径鍔部が、支軸内端部に嵌合する蛇の目状のスペーサリングである請求項１乃至３の何れかに記載の可変レバータンブラー錠。
【請求項５】
上記支軸の大径鍔部が、支軸に一体に形成されたものである請求項１乃至３の何れかに記載の可変レバータンブラー錠。
【発明の詳細な説明】
【技術分野】
【０００１】
この発明は、可変レバータンブラー錠に係り、特に、鍵違いの変換機構を合理的に変更して構造を簡単にすると共に、外形寸法を小さくすることができる可変レバータンブラー錠に関する。
【背景技術】
【０００２】
本出願人は、先に、後記特許文献１〜５を以て、新規な可変レバータンブラー錠を提案した。
【０００３】
これらの可変レバータンブラー錠は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定し、他方、支軸を外方に付勢する一方、内筒の内端部に、内筒の半径方向に移動可能で、外部から操作可能なスイッチ部材を支軸の外側からこれに当接可能に設けたものである。
【０００４】
そして、この発明を理解するためには、上記可変レバータンブラー錠の構造を理解する必要があるが、その構造は上記各特許文献に記載されているので、ここでは簡単に説明する。
【０００５】
図１において符号１はレバータンブラーを示し、このレバータンブラー１を、略Ｃ字形で相互に重合するタンブラーＡ１ＡとタンブラーＢ１Ｂとを組合わせたものとする一方、図で上方に付勢された支軸２をその両端に突設した偏芯軸３（図２参照）の軸線回りを回動できるように支承する。
【０００６】
なお、図１においてタンブラーＢ１Ｂにハッチングを施したのはタンブラーＡ１Ａと紛れないようにしただけであって、実際にハッチングが施されているわけではない。図１においてはタンブラーＢ１Ｂが手前側に、タンブラーＡ１Ａはその裏側に配置されている。
【０００７】
また、図１に示すタンブラーＡ１ＡのＣ字形はその開口端が相互に接続されているが、これはタンブラーの剛性を高めるためであって、このようにＣ字形の開口端を接続したものもＣ字形の概念に含めるものとする。
【０００８】
一方、一端を縦長の逃げ孔４を介して支軸２に遊嵌させたタンブラーＡ１Ａには、合鍵５の鍵溝６との係合部７を形成すると共に、これを合鍵５と干渉する方向、図１では反時計方向に付勢し、また、一端を支軸に回動自在に嵌合させたタンブラーＢ１Ｂの自由端部外側端縁に解錠切欠８を形成すると共に、タンブラーＡ１Ａの合鍵側端縁との係合部７と重合する部分を合鍵と干渉しないように成形する。
【０００９】
他方、タンブラーＡ１Ａの自由端部内側縁部のタンブラーＢ１Ｂと対向する側に第１係合突起９を、また、タンブラーＢ１Ｂの内側縁部には支軸２を中心とする円弧上にタンブラーＡの第１係合突起９と係合可能な係合凹部１１の複数を夫々形成すると共に、係合凹部１１の形成角度位置を、合鍵５の側端縁に形成された複数種類の深さの鍵溝６にタンブラーＡの係合部が夫々係合したとき、その係合突起と整合するように設定する。
【００１０】
図１は一の合鍵を鍵孔に差込んだ状態を示し、したがって解錠切欠８がロッキングバー１２と角度的に整合している。
【００１１】
この状態で、図２及び図３に示すように、シリンダの内端側から変換ピン１３を挿入して、スイッチ部材１４及び支軸２の内端に嵌装されたスペーサリング１５を介して支軸２に矢印方向、すなわち下向きの力を印加すると、支軸２は偏芯軸３の中心軸ｃの回りを反時計方向に回動する。
【００１２】
なお、図１はタンブラー１をシリンダの内端側から見ているので、図１においては、支軸２は上記中心軸ｃの回りを時計方向に回動する。
【００１３】
その結果、支軸２はタンブラーＡ１Ａの一端に形成された前記縦長の逃げ孔４を遊嵌するので、タンブラーＡを図１の位置に残した状態でタンブラーＢ１１Ｂのみを下降させる（図示せず）。
【００１４】
図１から明らかなように、解錠切欠８とロッキングバー１２とは角度的に整合しているから、上記タンブラーＢ１Ｂの下降は可能であり、タンブラーＡ１Ａの第１係合突起９は係合凹部１１から抜き外される。
【００１５】
この状態では一の合鍵を抜くことができるので、一の合鍵を鍵孔から抜くと、タンブラーＡ１Ａはその付勢力により図１で反時計方向に回動するが（図示せず）、他の新たな合鍵を挿入することにより、タンブラーＡ１Ａは図１とは異なる新たな角度位置に迄回動する。
【００１６】
この状態で前記変換ピン１３（図３参照）を抜いて支軸２を元の位置に戻すと、タンブラーＢ１Ｂも連れ動いて図１に示す位置に戻り、このとき係合突起は新たな係合凹部と係合するに致り、タンブラーＡ１ＡとタンブラーＢ１Ｂとの係合の態様が前とは異なり、したがって鍵違いを変更することができるのである。
【特許文献１】特願２００１−３７９２６８
【特許文献２】特願２００２−０１４２７４
【特許文献３】特願２００２−１１３８６８
【特許文献４】特願２００２−１１９７８１
【特許文献５】特願２００２−１３１５６８
【特許文献６】特願２００３−３６９０００
【発明の開示】
【発明が解決しようとする課題】
【００１７】
上記した構造の可変レバータンブラー錠は、図４に示すように、外筒１６の基部に膨出部１７を突出形成し、この膨出部１７内にスイッチ部材１４を例えば図４で上下方向に案内できる案内洞１８を設けている。
【００１８】
なお、図４で外筒の下方に形成された膨出部は、デザイン上必要なので設けられた膨出部で、可変レバータンブラー錠の必須の構成要素ではない。
【００１９】
しかしながら、外筒に形成された膨出部は、その存在故に可変レバータンブラー錠の構造を複雑にするし、また、外筒の加工が面倒になり、加えて、デザイン上不利である、等種々の不都合の原因となっている。
【００２０】
そこで、本出願人は先に、上記特許文献６を以て、鍵違い変換機構を合理的に変更し、外筒に膨出部を形成しなくても済む可変レバータンブラー錠を提案した。
【００２１】
この発明は、上記特許文献６によって提案された発明を更に改良し、鍵違い変換作業の能率を更に向上させることを目的としている。
【課題を解決するための手段】
【００２２】
上記の目的を達成するため、請求項１に記載の発明は、レバータンブラー錠の各レバータンブラーを、略Ｃ字形で相互に重合するタンブラーＡとタンブラーＢとを組合わせたものとする一方、中心軸線が外方に向かうように付勢された支軸を、その両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定したものにおいて、支軸の内端部に大径鍔部を形成し、軸線方向においてこの大径鍔部と整合する外筒外周面に、これを外筒半径方向に貫通する作業孔を形成すると共に、この作業孔の近傍における外筒両外側面に夫々凹陥部を形成し、一方、外筒に跨がってこれに接合できるように一部を断面半円形に成形したアダプターを設け、このアダプターの両側に、外筒に跨がったとき外筒の中心軸線と平行になる回動軸に中心部を回動可能に支承され、先端が上記凹陥部に係合する方向に付勢されたラッチレバーを対称的に装着し、他方、上記アダプターに、外筒半径方向に移動可能に案内され、内端が作業孔を挿通して支軸の大径鍔部に当接可能に臨むスイッチ部材を設け、このスイッチ部材の外側に、外筒軸線方向に延在し、長さ方向に移動可能に案内されると共に、基端に短円柱状の操作端を形成し、中央部にスイッチ部材と係合して楔作用によりこれを内側に押動する傾斜面を形成した変換部材を設け、鍵違い変換時、ラッチレバーを介してアダプターを外筒に取り外し可能に装着し、変換部材の操作端を押動してスイッチ部材を内方に移動させ、その内端により支軸の大径鍔部を内方に押動して、タンブラーＡの係合突起とタンブラーＢの係合凹部とを切り離すようにしたことを特徴とする。
【００２３】
また、請求項２に記載の発明は、レバータンブラー錠の各レバータンブラーを、略Ｃ字形で相互に重合するタンブラーＡとタンブラーＢとを組合わせたものとする一方、中心軸線が外方に向かうように付勢された支軸を、その両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定したものにおいて、支軸の内端部に大径鍔部を形成し、軸線方向においてこの大径鍔部と整合する外筒外周面に、これを外筒半径方向に貫通する作業孔を形成すると共に、この作業孔の近傍における外筒両外側面に夫々凹陥部を形成し、一方、外筒に跨がってこれに接合できるように一部を断面半円形に成形したアダプターを設け、このアダプターの両側に、外筒に跨がったとき外筒の中心軸線と平行になる回動軸に中心部を回動可能に支承され、先端が上記凹陥部に係合する方向に付勢されたラッチレバーを対称的に装着し、他方、上記アダプターに、外筒半径方向に移動可能に案内され、内端が作業孔を挿通して支軸の大径鍔部に当接可能に臨むスイッチ部材を設け、このスイッチ部材の外側に、外筒軸線方向に延在し、長さ方向に移動可能に案内されると共に、基端に短円柱状の操作端を形成し、中央部にスイッチ部材と係合して楔作用によりこれを内側に押動する傾斜面を形成した変換部材を設け、鍵違い変換時、ラッチレバーを介してアダプターを外筒に取り外し可能に装着し、変換部材の操作端を押動してスイッチ部材を内方に移動させ、その内端により支軸の大径鍔部を内方に押動して、タンブラーＡの係合突起とタンブラーＢの係合凹部とを切り離すようにし、また、内筒内における上記支軸の大径鍔部の近傍に、支軸と遊嵌する挿通孔を開口させ、下端縁に係合突起を突設して、合鍵の鍵孔への挿入時、合鍵先端の傾斜端縁と係合突起との係合によって生じる楔作用により外方に押動される制御板をスイッチ部材の移動方向に移動可能に設けると共に、上記アダプター内におけるスイッチ部材の近傍に、外端部に変換部材の先端部と遊嵌する係止孔を開口させ、この係止孔が変換部材の先端部外側に形成された係止溝と係合する方向に付勢された抜け止め板を、内端縁を制御板の外端縁に接合させた状態で外筒半径方向に移動可能に設け、鍵違い変換時、それまでの合鍵を及び新しい合鍵を鍵孔に挿入していない作業中は抜け止め板の係止孔を変換部材の係止溝に係合させ、変換部材から手を離してもスイッチ部材を作動位置に係止できるようにしたことを特徴とする。
【００２４】
更にまた、請求項３に記載の発明は、レバータンブラー錠の各レバータンブラーを、略Ｃ字形で相互に重合するタンブラーＡとタンブラーＢとを組合わせたものとする一方、中心軸線が外方に向かうように付勢された支軸を、その両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定したものにおいて、支軸の内端部に大径鍔部を形成し、軸線方向においてこの大径鍔部と整合する外筒外周面に、これを外筒半径方向に貫通する作業孔を形成すると共に、この作業孔の近傍における外筒両外側面に夫々凹陥部を形成し、一方、外筒に跨がってこれに接合できるように一部を断面半円形に成形したアダプターを設け、このアダプターの両側に、外筒に跨がったとき外筒の中心軸線と平行になる回動軸に中心部を回動可能に支承され、先端が上記凹陥部に係合する方向に付勢されたラッチレバーを対称的に装着し、他方、上記アダプターに、外筒半径方向に移動可能に案内され、内端が作業孔を挿通して支軸の大径鍔部に当接可能に臨むスイッチ部材を設け、このスイッチ部材の外側に、外筒軸線方向に延在し、長さ方向に移動可能に案内されると共に、基端に短円柱状の操作端を形成し、中央部にスイッチ部材と係合して楔作用によりこれを内側に押動する傾斜面を形成した変換部材を設け、鍵違い変換時、ラッチレバーを介してアダプターを外筒に取り外し可能に装着し、変換部材の操作端を押動してスイッチ部材を内方に移動させ、その内端により支軸の大径鍔部を内方に押動して、タンブラーＡの係合突起とタンブラーＢの係合凹部とを切り離すようにし、また、上記変換部材の円柱状の操作端の内側に、幅寸法が操作端の外径より小さいフランジ部を連設し、常態における上記ラッチレバーの操作端の、外筒軸線方向における位置をフランジ部と同じ位置に設定すると共に、操作端がフランジ部の側端縁に近接するように設定し、鍵違い変換時、アダプターをシリンダ外筒に装着して変換部材を移動させた後は、ラッチレバーの操作端の変換部材に対する相対関係位置を操作端の大径部に移動させ、ラッチレバーの操作端を内側に押動してラッチレバーの先端と外筒の凹陥部との係合を解くことができないようにしたことを特徴とする。
【発明の効果】
【００２５】
上記のように構成された請求項１に記載の発明による可変レバータンブラー錠は、支軸を駆動するため外筒に摺動可能に案内されたスイッチ部材を鍵違い変換時外筒に装着されるアダプター側に設けたので、外筒に膨出部を形成することなく、単なる筒体とすることができる。
【００２６】
そのため、可変レバータンブラー錠の構造を簡単かつコンパクトにすることができ、また、アダプターを外筒に装着し、変換部材を操作するだけでタンブラーＡの係合突起とタンブラーＢの係合凹部の切り離し、及び再係合作用を行えるので、上記特許文献６に記載の発明と比較して鍵違い変換作業の能率が各段に向上する。
【００２７】
また、請求項２に記載の発明によれば、合鍵を鍵孔に差込んでいないときには抜け止め板が変換部材を作動位置に係止するので、鍵違い変換時における誤動作を防止することができる。
【００２８】
更にまた、請求項３に記載の発明によれば、鍵違い変換時、変換部材を作動位置にまで移動させたときには、ラッチレバーが不動になるので、鍵違い変換中ラッチレバーを外筒から外してしまう、という誤操作を防止することができる。
【発明を実施するための最良の形態】
【００２９】
従来の外筒半径方向に摺動するスイッチ部材及び変換部材を、外筒に選択的に装着されるアダプターに内蔵するようにしたので、可変レバータンブラー錠の外筒に膨出部を形成する必要を無くし、また、鍵違い変換作業を極めて容易にした。
【実施例１】
【００３０】
以下、この発明の実施例を図５乃至図９を参照して説明する。なお、この実施例１においては、請求項１に記載の発明の一実施例を説明する。
【００３１】
図５において符号１６は可変レバータンブラー錠の外筒を示す。図示の実施例における外筒１６は、プラグアセンブリー２０の外筒１６ａに連設されている。
【００３２】
このプラグアセンブリーの外筒１６ａの基端部で、図８において時計盤面に換算して１２時の角度位置に、外筒１６ａを貫通する作業孔１９が形成されている。
【００３３】
この作業孔１９の外筒軸線方向における位置は、支軸２の基端に嵌装されたスペーサリング１５（図２及び図３参照）と整合する位置に設定されているので、図５に示すように、この作業孔１９から前記スペーサリング１５（大径鍔部）が露出している。
【００３４】
また、図５に示すように、この作業孔１９の近傍における外筒１６の両外側面に、後述のラッチレバー２３（図６参照）と接合する細長い平面部２１と、ラッチレバーの先端と係合する凹陥部２２とが形成されている。
【００３５】
一方、この発明による可変レバータンブラー錠には、鍵違い変換作業を容易にするため、図６及び図７に示すアダプター２４が付属している。
【００３６】
このアダプター２４は、図示のように、外筒に跨がってこれに接合できるように一部（下部）を断面半円形に成形した（図６参照）ブロック体である。
【００３７】
このアダプター２４の両側に、外筒１６に跨がったとき外筒の中心軸線と平行になる回動軸２５（図６参照）に中心部を回動可能に支承され、先端（図６で下端）が上記凹陥部２２に係合する方向に付勢されたラッチレバー２３が夫々対称的に装着されている。
【００３８】
各ラッチレバー２３は、上記回動軸２６に巻装された図示しない捩りばねの弾力により、図６で右側のラッチレバー２３は時計方向に、左側のそれは反時計方向に付勢されている。
【００３９】
したがって、ラッチレバー２３、２３を図５に示す平面部２１及び凹陥部２２に整合させた状態でアダプター２４を上方から近接させると、ラッチレバー２３、２３が先ず外筒１６に接触し、これらの間に生じる楔作用によりラッチレバー２３、２３がその付勢力に抗して拡開すると共に下方に移動する。
【００４０】
そして、図６に示すようにラッチレバーの先端が凹陥部２２と整合するに致り、その付勢力によって前者が後者に落込み、同時にアダプター２４の下端部が外筒に接合して、アダプターが外筒に自動的に装着される。
【００４１】
このアダプター２４の前記作業孔１９（図５及び図７参照）と整合する部分には、図６及び図７に示すように、外筒半径方向に移動可能に案内され、内端が作業孔１９を挿通して支軸２の大径鍔部１５に当接可能に臨むスイッチ部材１４が設けられている。
【００４２】
また、このスイッチ部材１４の外側（図６及び図７で上方）に、水平方向、すなわち外筒軸線方向に延在し、長さ方向に移動可能に案内されると共に、基端に押釦となる短円柱状の操作端２７ａを形成した変換部材２７が設けられている。
【００４３】
更にまた、変換部材２７の中央部でスイッチ部材１４に対向する内面には、図７に示すように、スイッチ部材１４と係合して楔作用によりこれを内側に押動する傾斜面２７ｂが形成されている。
【００４４】
そして、この変換部材２７は、後述するフランジ部２７ｃ（図７及び図９参照）の内側に弾装された圧縮コイルばねとしての戻しばね２８の弾力により図７で右方に付勢されているが、操作端２７ａに外力が作用しない状態においては、フランジ部２７ｃが付番しない裏板に係止されて変換部材２７がアダプターから飛び出ないようになっている。
【００４５】
上記のように構成された請求項１に記載の発明の一実施例による可変レバータンブラー錠は、図１に示すように、鍵違い変換時それ迄の合鍵５を鍵孔６に挿入してタンブラーＢＩＢの解錠切欠８とロッキングバー１２の内側端縁を整合させる。
【００４６】
次に、前記したようにアダプター２４を外筒１６に装着すると、図７に示すように、アダプター内のスイッチ部材１４の内端が作業孔１９を経て支軸の大径鍔部１５（スペーサリング）に当接可能に臨むようになる。
【００４７】
このとき、変換部材２７及びその一部である傾斜面２７ｂは図７に示す位置より右方にあり、スイッチ部材１４は、支軸ばね３３（図４参照）の弾力により、大径鍔部１５を介して図７に示す位置より上方に押上げられている。
【００４８】
次いで、変換部材２７の操作端２７ａを手指でアダプター内方に押込むように押動すると、図７に示すように、作業孔１９を挿通したスイッチ部材１４の下端が、支軸の大径鍔部であるスペーサリング１５の外周縁を、支軸ばね３３（図４参照）の弾力に抗して下方に押動する。
【００４９】
そのため、支軸２は図８において偏芯軸３（図２及び図３参照）の回りを時計方向に少し回動し、この支軸２の回動に伴ってタンブラーＢ１Ｂが下方に移動して、第１係合突起９と係合凹部１１との係合を解く。
【００５０】
次いで新しい合鍵を挿入すると、タンブラーＡ１Ａは新しい合鍵の鍵溝に対応した角度位置に迄回動するので、この状態変換部材２７の操作端から手を離すと、変換部材２７が戻しばね２８の弾力により図７で右方に移動し、スイッチ部材１４が上昇する。
【００５１】
すると、上記支軸ばね３３の弾力によってタンブラーＢ１Ｂが上昇し、その何れかの係合凹部１１が新しい角度位置における第１係合突起９と係合し、このようにしてタンブラーＡ１ＡとタンブラーＢ１Ｂとの新しい相対角度位置が定まる。
【実施例２】
【００５２】
上記した請求項１に記載の発明においては、鍵違い変換作業中は変換部材の操作端２７ａを手指でずっと押動しておかなければならない。それは、変換部材２７が待機位置に戻ると、その時期によっては意図しない鍵違いが生じる恐れがあるからである。
【００５３】
そこで、この実施例２においては、合鍵を鍵孔に挿入していないときには変換部材の作動位置を固定しておくことができ、以て図８に示した状態からタンブラーＢ１Ｂが上昇してしまい、あり得ない鍵違いになってしまうことを防止できる、請求項２に記載の発明を説明する。
【００５４】
図６及び図７に示すように、内筒内における上記支軸２の大径鍔部１５の近傍に、制御板２８が外筒半径方向、すなわち図で上下方向に移動可能に案内されている。
【００５５】
この制御板２８の外端縁は外筒１６の内面に接合できるように同曲率の円弧状に成形されており、その中央部には支軸２と遊嵌する挿通孔３１（図６参照）が開口している。
【００５６】
また、制御板の下端縁には第２係合突起３２が突設されており、この第２係合突起３２は、合鍵５の先端に形成された、挿入方向に対して傾斜した端縁との係合によって生じる楔作用により外方に押動され、合鍵が挿入されたときには、外端縁が外筒内周面に接合する位置にまで押動される。
【００５７】
一方、上記アダプター内におけるスイッチ部材１４の近傍に、外端部に変換部材２７の先端部と遊嵌する係止孔３４を開口させた抜け止め板３５が、内端縁を上記制御板２９の外端縁に接合させた状態で、外筒半径方向に移動可能に設けられている。
【００５８】
これに対応して、図７に示すように、変換部材２７の先端部外側に係止溝２７ｃが形成されている。
【００５９】
この抜け止め板３５は、板材を図６及び図７に示すように折曲すると共にばね受け板３７を切り起こした板材で、このばね受け板３７とアダプターとの間に弾装された圧縮コイルばねとしての付勢ばね３７の弾力により、係止孔３４が係止溝２７ｃと係合する方向に付勢されている。
【００６０】
上記のように構成された請求項２に記載の発明の一実施例による可変レバータンブラー錠は、鍵孔にそれまでの合鍵、或いは新しい合鍵が挿入されているときには、図６及び図７に示すように、合鍵の先端により制御板２９が外方に押動され、この制御板によって抜け止め板３５も外方に押動される。
【００６１】
そのため、抜け止め板の係止孔３４が変換部材の係止溝２７ｃから離間しており、変換部材３４は自由であるから、新しい合鍵を挿入した後手指を操作端から離すだけで変換部材２７を待機位置に戻すことができる。
【００６２】
一方、それまでの合鍵を抜いた後は抜け止め板の係止孔３４が変換部材の係止溝２７ｃと係合して変換部材２７が作動位置に固定されるので、前記した鍵違い変換作業の失敗や不都合を防止することができる。
【実施例３】
【００６３】
上記した請求項１に記載の発明においては、鍵違い変換作業中アダプター２４が外筒から外れてしまうと、変換部材２７が待機位置に戻ったときと同じ不都合が生じる。
【００６４】
そこで、この実施例３においては、操作端を押動して変換部材２７を作動位置に置いたら、ラッチレバーが拡開せずしたがってアダプター２４が外筒から外れないようにした請求項３に記載の発明について説明する。
【００６５】
請求項３に記載の発明による可変レバータンブラー錠においては、変換部材の操作端２７ａの内側、すなわち図７で左側には、幅寸法が操作端の外径より小さい（図９参照）フランジ部２７が連設されている。
【００６６】
そして、アダプター２４を外筒１６に装着後、変換部材の操作端２７ａを押動しないときには、前記戻しばね２８（図７参照）の弾力により、変換部材２７はフランジ部２７ｃが付番しないアダプターの裏板に接合する位置に定座している。
【００６７】
一方、請求項３に記載の発明においては、前記ラッチレバー２３（図７参照）の外筒軸線方向における位置は、上記裏板に接合しているフランジ部２７ｃと整合するように設定されている。
【００６８】
そのため、ラッチレバー２３の操作端、すなわち、図７におけるラッチレバーの上端はフランジ部２７ｃの幅の狭い部分に対向するので、ラッチレバー２３、２３の先端が拡開可能であり、したがって、アダプター２４の外筒１６への着脱は自由にできる。
【００６９】
一方、変換部材の操作端を押動すると、図６及び図７から明らかなように、フランジ部２７ｃの外筒軸線方向の位置がラッチレバー２３の位置とずれるので、ラッチレバー２３の操作端が変換部材の操作端２７ａの大径部と対向するようになる。
【００７０】
この場合にはラッチレバーを拡開しようとするとその操作端が変換部材の操作端２７ａに衝止され、ラッチレバー２３、２３が拡開しないので、アダプター２４を外筒１６から取り外すことができない。
【００７１】
なお、図示の実施例では、支軸の大径鍔部を支軸とは別体のスペーサリングとし、これを支軸の内端部に嵌装するものとしたが、これは支軸を削り出すとき、或いは塑性加工するとき、支軸と一体に削り出し、或いは形成してもよいことは勿論である。
【図面の簡単な説明】
【００７２】
【図１】従来の可変レバータンブラー錠の支持機構の一例を示す拡大横断面図。
【図２】スイッチ部材による支軸の駆動機構を示す拡大外観斜視図で、常態を示す。
【図３】図２と同様のスイッチ部材による支軸の駆動機構を示す拡大外観斜視図で、変換ピンによりスイッチ部材を駆動した状態を示す。
【図４】従来の可変レバータンブラー錠の一部断面側面図。
【図５】この発明の一実施例による可変レバータンブラー錠の一部断面側面図。
【図６】この発明の要部を示す拡大一部従断面図。
【図７】この発明の要部を示す拡大一部横断面図。
【図８】この発明の要部を示す図１と同様の可変レバータンブラー錠の拡大横断面図で、変換突起を外筒内に挿入すると共に、それまでの合鍵を一度挿入して抜いた状態を示す。
【図９】操作端側から見た変換部材の拡大背面図。
【符号の説明】
【００７３】
１  レバータンブラー
１Ａ  タンブラーＡ
１Ｂ  タンブラーＢ
２  支軸
３  偏芯軸
４  逃げ孔
５  合鍵
６  鍵溝
７  係合部
８  解錠切欠
９  係合突起
１１  係合凹部
１２  ロッキングバー
１３  変換ピン
１４  スイッチ部材
１５  大径鍔部
１６  外筒
１９  作業孔
２０  プラグアセンブリー
２２  凹陥部
２３  ラッチレバー
２４  アダプター
２５  回動軸
２７  変換部材
２７ａ  操作端
２７ｂ  傾斜面
２７ｃ  フランジ部
２７ｄ  係止溝
２８  戻しばね
２９  制御板
３１  挿通孔
３２  係合突起
３３支軸ばね
３４  係止孔
３５  抜け止め板
３７  付勢ばね
【図１】
2005256351.tif 000003
【図２】
2005256351.tif 000004
【図３】
2005256351.tif 000005
【図４】
2005256351.tif 000006
【図５】
2005256351.tif 000007
【図６】
2005256351.tif 000008
【図７】
2005256351.tif 000009
【図８】
2005256351.tif 000010
【図９】
2005256351.tif 000011